(57)【要約】      （修正有）【課題】コンパクトに折り畳み携帯でき、シャフト先端への袋用装着枠の取り付け角度を自由に調節可能であり、容易に的確な位置に袋装着枠を差し出すことができる新たなペット用の携帯型糞処理具を提供する。【解決手段】伸縮自在で所望の長さに仮固定可能とする伸縮機構２０を備えたハンドルシャフト２先端に、磁性を有した所定直径短尺筒体からなり、その適所に関節機構４２を設けた袋口装着枠４と、該袋口装着枠４に吸着可能な磁性を有する素材製であって、当該袋口装着枠４の関節機構４２を除く外周面適宜範囲との間に、樹脂袋の開口付近周縁を挟着状とするよう、該袋口装着枠４外周面に添って着脱自在に吸着した吸着バンド枠５とからなる袋吊着枠体３を、当該関節機構４２を介し連結、一体化してなるものとしたペット用携帯型糞処理具１である。【選択図】図１
0003146676.tif 000002
【実用新案登録請求の範囲】
【請求項１】
伸縮自在且つ所望の長さに仮固定可能とする伸縮機構を備えたハンドルシャフト先端に、磁石素材かまたは磁性素材かの何れか一方の素材製の所定直径短尺筒体からなり、その外周壁適所に折畳み自在且つ支持角度調節可能な関節機構を設けた袋口装着枠と、磁石素材かまたは磁性素材かの何れか他方の素材製であって、当該袋口装着枠の関節機構箇所を除く外周面適宜範囲との間に、同袋口装着枠外周面壁に添って装着状とした樹脂袋開口付近周縁を挟着状に仮固定可能とするよう適宜寸法の筒面体に形成し、該袋口装着枠外周面に添って着脱自在に吸着した吸着バンド枠とからなる袋吊着枠体を、同袋吊着枠体袋口装着枠の関節機構を介し連結、一体化してなるものとしたことを特徴とするペット用携帯型糞処理具。
【請求項２】
伸縮自在且つ所望の長さに仮固定可能とする伸縮機構を備えたハンドルシャフト先端に、磁石素材かまたは磁性素材かの何れか一方の素材製の所定直径短尺筒体からなり、その外周壁適所に折畳み自在且つ支持角度調節可能な関節機構を設けた袋口装着枠と、磁石素材かまたは磁性素材かの何れか他方の素材製であって、当該袋口装着枠の関節機構箇所を除く外周面適宜範囲との間に、同袋口装着枠外周面壁に添って装着状とした樹脂袋開口付近周縁を挟着状に仮固定可能とするよう適宜寸法の左右分割型、半裁筒面体に形成し、それら半裁筒面体の基端夫々が、同袋口装着枠の関節機構左右近傍に固着すると共に、それら左右半裁筒面体の内周面が、当該袋口装着枠外周面の各対峙範囲との間に、同袋口装着枠外周面壁に添って装着した樹脂袋開口付近周縁を、夫々挟着状に仮固定可能とするよう、着脱自在に吸着した左右分割型吸着バンド枠とからなる袋吊着枠体を、同袋吊着枠体袋口装着枠の関節機構を介し連結、一体化してなるものとしたことを特徴とするペット用携帯型糞処理具。
【請求項３】
袋吊着枠体、袋口装着枠外周面の周回りに沿って環状凸条かまたは環状溝条かの何れか一方、もしくは双方を形成し、且つ吸着バンド枠内周面の周回りに沿って環状凸条かまたは環状溝条かの何れか他方、もしくは双方を、同吸着バンド枠が該袋口装着枠の外周面に添って吸着した場合に、互いの環状凸条と環状溝条とが歯合状に嵌合するよう、組み合わせ可能に配置、形成されてなるものとした、請求項１または２何れか一項記載のペット用携帯型糞処理具。
【請求項４】
袋吊着枠体、袋口装着枠の関節機構付近か、関節機構それ自体にか、または、ハンドルシャフトの関節機構付近かの何れか適所に、既製小型電灯が、その照射光を該袋吊着枠体方向に向けるよう搭載可能とするマウント機構を有したライト用マウントベースを着脱自在もしくは着脱不能に一体化されてなるものとした、請求項１ないし３何れか一項記載のペット用携帯型糞処理具。
【請求項５】
袋吊着枠体の磁石素材かまたは磁性素材かの何れか一方の素材製、所定直径短尺筒体からなる袋口装着枠の外周面に添って、適宜寸法の倒立状とした樹脂袋、開口付近周縁を上方から外装、被着状に装着した後、該樹脂袋開口付近周縁を同袋口装着枠の外周面との間に挟着状とするよう、同袋吊着枠体の磁石素材かまたは磁性素材かの何れか他方の素材製、適宜寸法、形状に設定した筒面体からなる吸着バンド枠を吸着、仮固定した上、当該袋口装着枠より上方に倒立状態となっている樹脂袋底部を、同樹脂袋自体の内がわであって同袋口装着枠内に下向き且つ表裏、反転状とするよう操作して、該樹脂袋開口付近周縁が袋口装着枠の上端周縁を回り込み、同袋口装着枠の内周面に添って上向き開口状となり、該樹脂袋底部が同袋口装着枠内がわ下方に垂下状となるよう吊り下げ装着する如く設定してなるものとした、請求項１ないし４何れか一項記載のペット用携帯型糞処理具の樹脂袋装着方法。                                                                                                            
【考案の詳細な説明】
【技術分野】
【０００１】
この考案は、ペットの排泄物を簡便且つ衛生的に回収可能とする技術に関するものであり、犬の散歩などの外出中に糞の回収を容易にする携帯型糞処理具を製造する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                    
【背景技術】
【０００２】
（着目点）
犬の飼い主にとって散歩中の犬の衛生的な排便、処理は現代社会の一般的モラルとして定着してきており、多くの飼い主は、ビニール袋に新聞紙などを入れたものの外、火ばさみ型のデレッキや移植ベラなどのショベル類を携行するなどして、散歩の途中で犬が排泄した糞を回収して持ち帰り、トイレに流したり、燃えるゴミとして処分したり、腐葉土などの庭土に混ぜるなどして適切に処理するのが既に一般的になっている。
【０００３】
しかしながら、こうした糞の回収は一般に、地面に落下してしまった後に、火ばさみで摘み取ったり、移植ベラで掬い上げたりしてビニール袋に回収するものであり、固い糞であれば何とか綺麗に回収できるが、少し柔らかかったり、草の上だったり、舗装のない石ころの上だったりした場合には、一部、地上に残存してしまって綺麗に回収できない自体を生じてしまうという欠点があり、また、糞の回収時には、犬のリードを掴む片手がわに、柔らかく開口縁形状の定まらないビニール袋を持ち、別の片手にデレッキやショベルを持ち、回収した糞をビニール袋に投入するという難しい作業を行わなければならず、回収作業中に犬が動き回ってリードを引き動かしたりすると尚更、その処理が難しくなってしまうこととなった。
【０００４】
さらに、このようにして犬の糞を処理している最中の飼い主は、上半身を屈めたり、しゃがみ込んだりするような低い姿勢になりがちで、回りの状況がよく見えず、交通量の多い場所などでは尚更危険な作業となってしまい、また、秋季から冬季のように夕暮れが早く夜明けが遅い季節など、外灯の無い場所などでは、暗くて糞が見えないこともあり、回収もなかなか難しい作業になってしまうことがあった。
【０００５】
（従来の技術）
こうした状況を憂慮し、例えば、下記の特許文献１（１）に提案されているものに代表されるように、環状体の一部に上向きで若干外径方向に傾けた保持棒を設け、該環状体内に差し入れたビニール袋の開口縁を、同環状体外周側に設けた複数の係止舌片に係止可能なものとし、犬の散歩時に、環状体にビニール袋を装着して携行し、犬が排便行為を始めたときに、直ちに保持棒を把持して犬の尾部に環状体装着済みのビニール袋開口を近づけ、排便を直接キャッチできるようにしたものや、同特許文献１（２）に見られるように、シャフトの先端に受け台を設け、該受け台に対してビニール袋の開口縁を挟み込み、開口状に吊下可能とする２つのリングを軸着してなるものとし、携行中は、両リングを回動させて、コンパクト化できるようにしたもの、または、例えば、特許文献１（３）のように、収容袋の口端を環状に開口して収容袋の口端を環状に開口して支持する環状支枠を二つ折りして対応側面を圧接可能に設け、前記弧状枠部の軸部には、二つ折りの動力源となる牽引ばねを掛けるばね掛けピンとスライドカムと連接して展開作動する連動ピンを互いに左右に対応すると共に前後に離隔して設け、前記スライドカムは前記軸受部を前端に固着した柄杆の操作釦に連動軸を介して連結し、且つ連動軸又は操作釦にはその展開を維持するストッパ釦を関連してなり、収容袋の袋口を完全に開いた状態に受け器にセットすることができ、柄杆の手元釦の操作で環状支枠を簡単に二つ折りし、収容袋の袋口を瞬間的且つ自動的に閉鎖することができ、しかも手元釦の操作で簡単に環状支枠を展開することができるようにしたものなどが散見される。
【０００６】
しかし、前者特許文献１（１）に示されているようなものは、環状体に装着するビニール袋の開口縁を、複数の係止舌片に係止する作業が面倒な上、該環状体の周回りに沿って点在する各係止舌片に荷重が集中してしまうため、長期に亘る繰り返しの使用によって各係止舌片が劣化、摩耗してビニール袋が外れ易くなってしまう虞があり、また、保持棒と環状体との連結角度が固定されている為、身長の異なる様々な飼い主の全てが快適に利用できるようには、なっていないという欠点があり、そして、特許文献１（２）のように、本体リングとビニール固定リングとの間に挟み込むようにしてビニール袋の開口縁を保持するよう吊下状装着するものは、前者よりも確実にビニール袋を吊り下げ装着できるものとなっており、また、シャフトに対して両リングを折り畳み可能となっていて、携帯時にコンパクト化できるという利点を有しているが、犬の排便を回収するときのシャフトと両リングとの角度、姿勢を自由に変更できるようになっておらず、やはり身長の異なる様々な飼い主の全てが快適に使用できるものにはなっていないという欠点があり、しかも本体リングとビニール固定リングとの隙間を的確且つ高精度に設定しなければ、両者間に全く隙間が無く、吊着操作のときにビニール袋開口縁付近が摺動、圧壊状となって破損してしまったり、または、両者間の隙間が大き過ぎてビニール袋が、不用意に脱落してしまったりする虞があり、これらを未然に防ぐには製造工数の増加や品質管理の高度化が求められる結果、製品単価に影響し兼ねないものであった。
【０００７】
さらに、特許文献１（３）に代表されるもののように、柄杆の手元釦の操作で環状支枠を二つ折りし、収容袋の口を瞬間に閉鎖、密封したり、環状に展開したりできるようにしたものは、柄杆の手元釦と環状支枠との折り畳み、展開連動機構を設ける必要があり、内部構造が複雑になって勢い高価な製品となってしまう上、こうした複雑な連動機構は、長期使用によって破損し易く、しかもこうした環状支枠自体の折り畳み、展開機構の組み込みによって、既に内部構造が複雑化しており、携行中のコンパクト化を目的とした環状支枠を柄杆に重ねるよう折り畳む構造を組み込むのが非常に困難なものになってしまっているという欠点を有するものであった。                                                    
【特許文献１】（１）実開平７−３９４０８号公報    （２）実開平６−８４８４２号公報    （３）実開平６−７５１５０号公報
【考案の開示】
【考案が解決しようとする課題】
【０００８】
（問題意識）
上述したとおり、従前までに提案のある各種ペット用の携帯型糞処理具は、何れも散歩中の犬が排便姿勢になったときに、飼い主が犬の尾部にビニール袋を差し出し易いように工夫されているものの、ビニール袋を開口状態に吊下する環状枠の、シャフト先端に対する取り付け角度が固定的に設定されており、利用者の身長や利用姿勢などに応じて支持角度を自由に変更できないという欠点を有しており、しかもビニール袋の開口縁付近を点在状の係止舌片に係止したり、二重リング間に挟み込んだりして吊下するものとしているが、それらは何れも製造誤差や経年変形などの影響を受け易いものであって高精度に製造できなかった場合や、永年の使用による経年変形などによってビニール袋の装着に支障を来したり、使用中にビニール袋の破損や脱落を招いてしまう虞がある外、夜間の散歩や冬期など日の暮れが早く、夜明けが遅い季節などに暗い中で素早く的確な位置にビニール袋装着済みの環状枠を差し出すのは非常に困難で、糞の回収に失敗してしまうことが多いという欠点を残すものとなっていた。
【０００９】
（考案の目的）
そこで、この考案は、コンパクトに折り畳んで容易に携帯することができ、シャフト先端に対して袋の装着枠の取り付け角度を、利用者の好みに応じて自由に調節することが可能であり、夜間であっても犬の尾部を視認可能として、的確な位置に袋装着枠を差し出すことができる新たなペット用の携帯型糞処理具の開発はできないものかとの判断から、逸速くその開発、研究に着手し、長期に渡る試行錯誤と幾多の試作、実験とを繰り返してきた結果、今回、遂に新規な構造のペット用携帯型糞処理具、およびその新規な樹脂袋装着方法を実現化することに成功したものであり、以下では、図面に示すこの考案を代表する実施例と共に、その構成を詳述することとする。                                                                        
【課題を解決するための手段】
【００１０】
（考案の構成）
図面に示すこの考案を代表する実施例からも明確に理解されるように、この考案のペット用携帯型糞処理具は、基本的に次のような構成から成り立っている。
即ち、伸縮自在且つ所望の長さに仮固定可能とする伸縮機構を備えたハンドルシャフト先端に、磁石素材かまたは磁性素材かの何れか一方の素材製の所定直径短尺筒体からなり、その外周壁適所に折畳み自在且つ支持角度調節可能な関節機構を設けた袋口装着枠と、磁石素材かまたは磁性素材かの何れか他方の素材製であって、当該袋口装着枠の関節機構箇所を除く外周面適宜範囲との間に、同袋口装着枠外周面壁に添って装着状とした樹脂袋開口付近周縁を挟着状に仮固定可能とするよう適宜寸法の筒面体に形成し、該袋口装着枠外周面に添って着脱自在に吸着した吸着バンド枠とからなる袋吊着枠体を、同袋吊着枠体袋口装着枠の関節機構を介し連結、一体化してなるものとした構成を要旨とするペット用携帯型糞処理具である。
【００１１】
この基本的な構成からなるペット用携帯型糞処理具を表現を変えて示すと、伸縮自在且つ所望の長さに仮固定可能とする伸縮機構を備えたハンドルシャフト先端に、磁石素材かまたは磁性素材かの何れか一方の素材製の所定直径短尺筒体からなり、その外周壁適所に折畳み自在且つ支持角度調節可能な関節機構を設けた袋口装着枠と、磁石素材かまたは磁性素材かの何れか他方の素材製であって、当該袋口装着枠の関節機構箇所を除く外周面適宜範囲との間に、同袋口装着枠外周面壁に添って装着状とした樹脂袋開口付近周縁を挟着状に仮固定可能とするよう適宜寸法の左右分割型、半裁筒面体に形成し、それら半裁筒面体の基端夫々が、同袋口装着枠の関節機構左右近傍に固着すると共に、それら左右半裁筒面体の内周面が、当該袋口装着枠外周面の各対峙範囲との間に、同袋口装着枠外周面壁に添って装着した樹脂袋開口付近周縁を、夫々挟着状に仮固定可能とするよう、着脱自在に吸着した左右分割型吸着バンド枠とからなる袋吊着枠体を、同袋吊着枠体袋口装着枠の関節機構を介し連結、一体化してなるものとした構成からなるペット用携帯型糞処理具となる。
【００１２】
（関連する考案）
上記したペット用携帯型糞処理具に関連し、この考案には、その樹脂袋装着方法も包含している。
即ち、袋吊着枠体の磁石素材かまたは磁性素材かの何れか一方の素材製、所定直径短尺筒体からなる袋口装着枠の外周面に添って、適宜寸法の倒立状とした樹脂袋、開口付近周縁を上方から外装、被着状に装着した後、該樹脂袋開口付近周縁を同袋口装着枠の外周面との間に挟着状とするよう、同袋吊着枠体の磁石素材かまたは磁性素材かの何れか他方の素材製、適宜寸法、形状に設定した筒面体からなる吸着バンド枠を吸着、仮固定した上、当該袋口装着枠より上方に倒立状態となっている樹脂袋底部を、同樹脂袋自体の内がわであって同袋口装着枠内に下向き且つ表裏、反転状とするよう操作して、該樹脂袋開口付近周縁が袋口装着枠の上端周縁を回り込み、同袋口装着枠の内周面に添って上向き開口状となり、該樹脂袋底部が同袋口装着枠内がわ下方に垂下状となるよう吊り下げ装着する如く設定してなるものとした、この考案の基本をなす前記ペット用携帯型糞処理具の樹脂袋装着方法である。                                                                                                        
【考案の効果】
【００１３】
以上のとおり、この考案のペット用携帯型糞処理具によれば、従来技術として取り上げたものなど従前までのものとは違い、伸縮自在で所望の長さに仮固定可能とする伸縮機構を備えたハンドルシャフト先端に、磁石素材かまたは磁性素材かの何れか一方の素材製の所定直径短尺筒体からなり、その適所に関節機構を設けた袋口装着枠と、磁石素材かまたは磁性素材かの何れか他方の素材製であって、当該袋口装着枠の関節機構箇所を除く外周面適宜範囲との間に、樹脂袋開口付近周縁を挟着状とするよう、該袋口装着枠外周面に添って着脱自在に吸着した吸着バンド枠とからなる袋吊着枠体を、当該関節機構を介し連結、一体化してなるものとし、該ハンドルシャフト先端に対する袋吊着枠体の取り付け角度を、利用者の好みに応じて自由に変更、調節可能とし、利用者自身の身長や犬の排便処理の際の姿勢などに応じてハンドルシャフトに対する袋吊着枠体の支持角度を自由に変更できるようになり、より多くの消費者に最適に利用できるものとすることができ、しかも袋吊着枠体の磁石素材かまたは磁性素材かの何れか一方の素材製の袋口装着枠外周面に添って磁性素材かの何れか他方の素材製の吸着バンド枠をを磁気吸着するようにして、簡単且つ迅速に樹脂袋を吊下状装着することができる上、製造誤差や経年変形などの影響を受けることなく、新品購入当初から永年に亘って同様の吸着力を発揮してビニール袋の開口縁付近を確実に吊下状に装着可能なものとすることができるという秀れた特徴が得られるものである。
【００１４】
加えて、袋吊着枠体の吸着バンド枠が左右半裁筒面体からなるものとした当該ペット用携帯型糞処理具は、袋口装着枠に装着した樹脂袋開口付近周縁を左右に分割した各吸着バンド枠により、左右分担状に挟着可能となって一体リング型の吸着バンド枠に比較して、樹脂袋開口付近周縁の装着作業が一段と容易になり、しかも袋口装着枠外周面により一層、密着接合状となって、より強力且つ確実に樹脂袋開口付近周縁を挟み込むことができるようになるという秀れた効果を奏するものとなる。
【００１５】
そして、袋吊着枠体の袋口装着枠外周面の周回りに沿って環状凸条かまたは環状溝条かの何れか一方、もしくは双方を形成し、且つ吸着バンド枠内周面の周回りに沿って環状凸条かまたは環状溝条かの何れか他方、もしくは双方を、同吸着バンド枠が該袋口装着枠の外周面に添って吸着した場合に、互いの環状凸条と環状溝条とが歯合状に嵌合するよう組み合わせ可能に配置、形成されてなるものは、袋口装着枠と吸着バンド枠との間に挟み込む樹脂袋開口付近周縁を、互いの環状凸条と環状溝条との間に歯合状としてしまい、格段に強い吊下強度を確保できるものとなる。
【００１６】
また、袋吊着枠体、袋口装着枠の関節機構付近か、関節機構それ自体にか、または、ハンドルシャフトの関節機構付近かの何れか適所に、既製小型電灯が、その照射光を該袋吊着枠体方向に向けるよう搭載可能とするマウント機構を有したライト用マウントベースを着脱自在もしくは着脱不能に一体化されてなるものは、夜間の散歩や冬期など日暮れが早く、夜明けの遅い季節などにも、暗い中で素早く犬の尾部を確認して的確な位置に樹脂袋装着済みの袋吊着枠体を差し出し可能とし、地上に糞を落下させることなく回収して、従来のように地面に付着した便の始末が一切不要となり、しかもそのまま歩行用のライトとしても利用可能で、防犯や交通安全にも大いに役立つものとなって一段と、使い勝手の良いペット用携帯型糞処理具を提供できる。
【００１７】
さらに、この考案のペット用携帯型糞処理具の樹脂袋装着方法によれば、袋口装着枠の外周面に添って、樹脂袋、開口付近周縁を上方から被着状に装着した後、該樹脂袋開口付近周縁を同袋口装着枠の外周面との間に挟着状とするよう、吸着バンド枠を吸着、仮固定すると、従前までの複数の係止舌片に係止するものや、２重リング間に挟み込むように仮固定するものなどに比較して樹脂袋に過大なストレスを掛けずに簡単に装着することができ、しかも当該袋口装着枠より上方に倒立状態となっている樹脂袋底部を、同樹脂袋自体の内がわであって同袋口装着枠内に下向き且つ表裏、反転状とするよう操作して、該樹脂袋開口付近周縁が袋口装着枠の上端周縁を回り込み、同袋口装着枠の内周面に添って上向き開口状となり、該樹脂袋底部が同袋口装着枠内がわ下方に垂下状となるよう吊り下げ装着する如く設定するようにし、樹脂袋の袋吊着枠体への装着作業を格段に簡便なものとすることができる上、樹脂袋開口付近周縁が袋口装着枠の上端周縁を回り込むよう装着されて吊着強度を格段に高めることができるという秀れた効果が得られる。                                                    
【考案を実施するための最良の形態】
【００１８】
上記したとおりの構成からなるこの考案の実施に際し、その最良もしくは望ましい形態について説明を加えることにする。
ハンドルシャフトは、犬の散歩に携帯するのに便利な長さに短縮可能であり、散歩の途中で犬が排便姿勢となったときに、素早く取り出して適切な長さに延伸し、基端がわを把持して先端がわの袋吊着枠体を犬の尾部に差し出すように操作可能とする機能を果たし、テレスコープ型であって各中途節の夫々が充分な摩擦力をもって連結されたものとし、その摩擦力に抗してシャフトの伸縮操作が可能であって、同摩擦力によってシャフトが所望の寸法に維持されるようにしたものや、各節に締め付け用の小型レバーを設け、各小型レバーを弛緩方向に回動操作してシャフトの伸縮操作が可能となり、各小型レバーを締め付け操作してシャフトが所望の長さに仮固定されるようにしたもの、または、テレスコープ型、各段のシャフト部分を同心隣接状接続された次段のシャフト部分に対して反時計回りに捩り操作して弛緩、伸縮調節可能となり、時計回りに捩り操作して締め付け、所望の長さに仮固定可能となるよう設定されてなるものなどの外、後述する実施例に示すように、基端にグリップを装着した複数段のテレスコープ型伸縮構造を有し、各中途節毎に仮固定用のナットを組み込み、各ナットを緩めて所望の長さに伸縮操作可能とし、各ナットを締め付けて所望の長さに仮固定可能としたものなど、様々な伸縮機構を組み込んだものとすることができ、シャフト部分はアルミニウム製やステンレス製などの金属パイプ、各種繊維強化樹脂製パイプなどからなるものとするのが望ましく、グリップ部分には、ポリプロピレン製、ポリエチレン製、天然ゴム製などの成形品や、その他の軟質発泡樹脂製成形品などからなるものとすることができる。
【００１９】
袋吊着枠体は、ハンドルシャフトの先端に、その取り付け姿勢を調節自在であって、しかもその袋口装着枠と吸着バンド枠との間に樹脂袋開口縁付近を開口状態を維持するよう挟着状に吊下可能とする機能を果たすものであり、関節機構が組み込まれた袋口装着枠の外周面に吸着バンド枠の内周面が、樹脂袋開口縁付近を挟み込み、磁力を伴って吸着可能なものとし、犬の糞を回収するに充分な強度を確保したものとしなければならない。
【００２０】
袋口装着枠は、ハンドルシャフトの先端に、その取り付け姿勢を調節自在であり、樹脂袋開口縁付近を外装、被着状に装着可能とし、その外がわから吸着バンド枠が、磁力を伴って当該樹脂袋開口縁付近を挟み込み吊下するよう吸着可能とする機能を果たし、装着対象の樹脂袋開口縁付近を外装、被着状に装着可能な形状、寸法に設定し、磁石素材かまたは磁性素材かの何れか一方の素材製の所定直径短尺筒体からなり、その外周壁適所に折畳み自在且つ支持角度調節可能な関節機構を設けたものとしなければならず、例えば磁性を有する鉄鋼、ステンレス鋼などのプレス加工品や切削加工品の外、永久磁石、磁性体含有樹脂などの成形品からなるものとすることができる。
【００２１】
関節機構は、ハンドルシャフトの先端に対する袋吊着枠体、袋口装着枠の取り付け角度を自在に変更、仮固定可能とし、また、ハンドルシャフトに対して袋吊着枠体、袋口装着枠を折り畳まれた姿勢に仮固定して携帯用にコンパクト化可能とする機能を兼ね備えたものであり、充分な連結、支持強度をもつものとしなければならず、複数段階に節度を有して角度調節可能としたものや、無段階的に角度調節可能としたものなどとすることが可能であって、後述する実施例に示すように、袋口装着枠外周の左右フランジ部に挟み込まれたハンドルシャフト先端に、その直径方向から貫通した雄ネジ軸の先端に蝶ナットを螺解自在に螺合装着して、ハンドルシャフト先端に対し、左右フランジ部を締め付けて仮固定可能としてなるものとすることができる。
【００２２】
吸着バンド枠は、袋口装着枠外周面との間に樹脂袋開口縁付近を挟み込み吊着可能とするよう、当該袋口装着枠外周面に充分な磁力を伴って吸着、仮固定可能となる機能を果たし、磁石素材かまたは磁性素材かの何れか他方の素材製であって、当該袋口装着枠の関節機構箇所を除く外周面適宜範囲との間に、同袋口装着枠外周面壁に添って装着状とした樹脂袋開口付近周縁を挟着状に仮固定可能とするよう適宜寸法の筒面体に形成したものとしなければならず、袋口装着枠外周面回りに沿って複数個に分割されたものとすることが可能であり、後述する実施例に示すように、左右分割型、半裁筒面体に形成し、袋口装着枠外周面に対して開閉状に変形容易となる程度の柔軟性を有するものとするのが望ましく、例えば袋口装着枠に吸着可能な磁性を有する鉄鋼、ステンレス鋼などのプレス加工品や切削加工品の外、永久磁石、磁性体含有の軟質樹脂などの成形品からなるものとすることができる。
【００２３】
前記袋吊着枠体は、その袋口装着枠外周面および吸着バンド枠内周面が互いに平滑面同士で接合可能なものとして、樹脂袋開口付近周縁を密着状に挟着して十分な吊下強度を確保可能なものとするのが望ましいが、袋口装着枠外周面の周回りに沿って環状凸条かまたは環状溝条かの何れか一方、もしくは双方を形成し、且つ吸着バンド枠内周面の周回りに沿って環状凸条かまたは環状溝条かの何れか他方、もしくは双方を、同吸着バンド枠が該袋口装着枠の外周面に添って吸着した場合に、互いの環状凸条と環状溝条とが歯合状に嵌合するよう、組み合わせ可能に配置、形成されてなるものとすることができ、各環状凸条および環状溝条は、双方とも曲面の連続によって形成されたものとし、袋吊着枠体環形状の周回り方向に波型形状をなすものなど、樹脂袋開口付近周縁の挟着摩擦を高めたものにできる。
【００２４】
そして、この考案のペット用携帯型糞処理具は、その袋吊着枠体か、袋口装着枠の関節機構付近か、関節機構それ自体にか、または、ハンドルシャフトの関節機構付近かの何れかの適所に、既製小型電灯が、その照射光を該袋吊着枠体方向に向けるよう搭載可能とするマウント機構を有したライト用マウントベースを着脱自在もしくは着脱不能に一体化されてなるものとするのが良い。
【００２５】
ライト用マウントベースは、袋吊着枠体方向に照明を当てるようペット用携帯型糞処理具の適所に既製小型電灯を仮固定可能とする機能を果たすものであり、不用意に落下したりしない程度に充分な強度で仮固定可能なものとしなければならず、多少寸法、形状の異なる小型電灯であっても容易に脱着可能なマウント機構を有するもとすべきであり、照明方向を自由に調整できるよう小型電灯の取り付け角度を調節可能とした支持角度調節機構を組み込んだものとすることが可能である。
【００２６】
さらに、ペット用携帯型糞処理具の樹脂袋装着方法は、袋口装着枠の外周面に添って倒立状とした樹脂袋、開口付近周縁を上方から外装、被着状に装着した後、同袋口装着枠の外周面との間に該樹脂袋開口付近周縁を挟着状とするよう、吸着バンド枠を吸着、仮固定し、当該袋口装着枠より上方に倒立状態となっている樹脂袋底部を、同樹脂袋自体の内がわであって同袋口装着枠内に下向き且つ表裏、反転状とするよう操作して、該樹脂袋開口付近周縁が袋口装着枠の上端周縁を回り込み、同袋口装着枠の内周面に添って上向き開口状となり、該樹脂袋底部が同袋口装着枠内がわ下方に垂下状となるよう吊り下げ装着するよう設定したものとするのが望ましいが、これにのみ限定されるものではなく、予め樹脂袋開口付近周縁を外周側に折り返して置き、袋口装着枠の上方より、該樹脂袋の底部がわを同袋口装着枠内に装着状として、前記予め折り返して置いた樹脂袋開口付近周縁が、同袋口装着枠の上端周縁を回り込み、同袋口装着枠の外周面に被着、装着状となるよう操作した後、同袋口装着枠の外周面との間に該樹脂袋開口付近周縁が挟み込まれるよう吸着バンド枠内周面を吸着、仮固定するよう装着するよう設定したものなどとすることが可能である。
以下では、図面に示すこの考案を代表する実施例と共に、その構造について詳述することとする。                                                                                                              
【実施例１】
【００２７】
図１の携帯状態に折り畳まれたペット用携帯型糞処理具の斜視図、図２の袋吊着枠体を展開したペット用携帯型糞処理具の斜視図、図３の１段目を引き延ばしたペット用携帯型糞処理具の斜視図、図４の最長寸法まで引き延ばしたペット用携帯型糞処理具の斜視図、図５の吸着バンド枠を開放したペット用携帯型糞処理具の斜視図、図６の樹脂袋装着中のペット用携帯型糞処理具の斜視図、図７の樹脂袋装着済みのペット用携帯型糞処理具の斜視図、図８の既製小型電灯を装着したペット用携帯型糞処理具の斜視図、図９の一部に変更を加えたペット用携帯型糞処理具の斜視図、図１０の使用状態にあるペット用携帯型糞処理具の斜視図に示す事例は、伸縮自在で所望の長さに仮固定可能とする伸縮機構２０を備えたハンドルシャフト２先端に、磁石素材かまたは磁性素材かの何れか一方の素材製の所定直径短尺筒体からなり、その適所に関節機構４２を設けた袋口装着枠４と、磁石素材かまたは磁性素材かの何れか他方の素材製であって、当該袋口装着枠４の関節機構４２を除く外周面４０適宜範囲との間に、樹脂袋９開口付近周縁９０を挟着状とするよう、該袋口装着枠４外周面４０に添って着脱自在に吸着した吸着バンド枠５とからなる袋吊着枠体３を、当該関節機構４２を介し連結、一体化してなるものとしした、この考案のペット用携帯型糞処理具における代表的な一実施例を示すものである。
【００２８】
それら各図からも明確に把握できるとおり、この考案のペット用携帯型糞処理具１は、そのハンドルシャフト２が、直径の異なる３本のステンレス鋼製パイプ部２１，２１，２１を、直径の大きいものに小さいものを差し込むよう組み合わせて３段テレスコープ型とし、各段間の節部分であって大径がわのパイプ端外周面に刻設された図示しない雄ネジ夫々に仮固定用、硬質合成樹脂製または金属製のナット部２２，２２，２２を螺合装着したものであり、各ナット部２２，２２，２２を緩めると伸縮自在となり、各ナット部２２，２２，２２を締め付けると伸縮しないよう仮固定されるようにする伸縮機構２０を設けたものとしてあり、該ハンドルシャフト２の最大直径がわとなる基端がわには軟質合成樹脂製のグリップ２３が装着されたものとなっている。
【００２９】
当該ハンドルシャフト２の最小直径がわとなる先端には、金属製短柱状体４３の錐形に形成された基端が熔接、蝋付け、圧入、螺着などの何れかによって結合、一体化されており、該短柱状体４３の先端がわには、左右方向に貫通する雄ネジ軸４４と、それに螺着可能な蝶ナット４５とが組み込まれて関節機構４２を形成されたものとしている。
【００３０】
袋吊着枠体３は、図１および図２中に示すように、後述するよう形成した袋口装着枠４と吸着バンド枠５との組み合わせからなり、この中、袋口装着枠４は、内径１３５ｍｍ、肉厚１ｍｍの磁性を有するステンレス鋼板プレス成形品からなる上下巾１０ｍｍの短尺円筒体であって、当該関節機構４２に相当する箇所を切断し、この切断で形成された両端夫々を直径方向外側に向けた舌片状に折曲して左右フランジ部４１，４１となし、それら左右フランジ部４１，４１で当該ハンドルシャフト２先端の前記関節機構４２短柱状体４３先端がわを挟み込むよう配置したものとする。
【００３１】
また、吸着バンド枠５は、該袋口装着枠４の関節機構４２に対応する左右フランジ部４１，４１を除く外周面４０に沿って接合可能な、適宜寸法の左右分割型に設定した半裁円筒面体５０，５０からなり、該左右フランジ部４１，４１の外側面に接合可能な左右連結片部５１，５１と、各左右連結片部５１，５１とは反対がわの左右端より外径方向に突出した開閉操作用舌片部５２，５２とを有する、磁石素材成分含有、軟質合成樹脂シート製の左右分割円筒型のものとする。
【００３２】
当該袋吊着枠体３は、袋口装着枠４の左右フランジ部４１，４１と、その外側面に積層状とした左右分割型吸着バンド枠５，５の左右連結片部５１，５１とで前記関節機構４２先端がわを挟み込むよう配置すると共に、それらに左右方向横断状に雄ネジ軸４４を貫通、装着状とした上、該雄ネジ軸４４先端に蝶ナット４５が螺着されたものとして、当該ハンドルシャフト２先端に袋吊着枠体３、袋口装着枠４が折り畳み自在且つ角度調節自在となるよう装着されたものとする。
【００３３】
さらに、図１および図２中に示すように、関節機構４２短柱状体４３の雄ネジ軸４４、蝶ナット４５が装着された先端がわとは反対がわとなる基端寄りの適所には、金属製横転Ｌ字型棒体７０の短尺がわとなる基端が、該短柱状体４３の直径（上下）方向に貫通するよう熔接、蝋付け、圧入、螺着などの何れかによって固着、一体化されたものとしてあり、同横転Ｌ字型棒体７０の長尺がわとなる部分には、その前後端付近の上部夫々に、既製小型電灯８の前後端がわ下面を、上端に図示しない滑止め用ゴムパッドが一体化されて接合状、支持可能とした支持脚部７２，７２、および、それら前後支持脚部７２，７２間に装着された面ファスナ製帯からなる装着バンド７３の組み合わせからなるマウント機構７１を設けたライト用マウントベース７が一体化されている。
【００３４】
そして、当該袋吊着枠体３は、図１ないし図８中に示すように、袋口装着枠４外周面４０と、それに吸着、接合可能な左右吸着バンド枠５，５の各内周面との双方を平滑な円筒周面形としたものとすることができる外、図９に示すように、袋口装着枠４外周面４０の周回りに沿って環状凸条６を突設し、且つ左右吸着バンド枠５，５各内周面の周回りに沿って該環状凸条６に嵌合可能な環状溝条６０，６０を夫々刻設したものとすることができる。
【００３５】
（実施例１の作用）
以上のとおりの構成からなるこの考案のペット用携帯型糞処理具１は、図１中に示すように、ハンドルシャフト２伸縮機構２０を最も短く短縮した状態に仮固定した上、袋吊着枠体３関節機構４２を折り畳み、全長Ｌが４４５ｍｍまでコンパクト化することが可能であり、この状態では一般的なサイズのショルダーバッグに収納して邪魔にならないよう携行することが容易なものとなり、図２中に示すように、関節機構４２、蝶ナット４５を一旦緩めて袋吊着枠体３が展開状となる位置で、同蝶ナット４５を再度締め付けて固定すると、全長Ｌが６０５ｍｍになり、このまま犬の糞の回収に使用できる状態となる。
【００３６】
また、このペット用携帯型糞処理具１は、図３中に示すように、ハンドルシャフト２伸縮機構２０の、先端がわ１個目のナット部２２を一旦、緩めて１段目のパイプ部２１をその基部付近まで引き出した後、再度締め付けると全長Ｌが、８２５ｍｍに延伸されたものとなり、さらに、図４中に示すように、先端がわより２個目のナット部２２を緩めて、２段目のパイプ部２１もその基部付近まで引き出し、再度締め付けると全長Ｌが最大の１０７０ｍｍまで延伸されるものとなる。
【００３７】
そして、図１中に示すように、ペット用携帯型糞処理具１関節機構４２に設けたライト用マウントベース７上には、そのマウント機構７１の前後支持脚部７２，７２間に、照明部分を袋吊着枠体３がわに向けた既製小型電灯８が架け渡し状に装着されると共に、同既製小型電灯８の前後中間位置付近にマウント機構７１の装着バンド７３が巻き掛けられた状態に、仮固定可能なものとなっていて、前後支持脚部７２，７２上端に装着した、図示しないゴムパッドが、マウントされた既製小型電灯８のズレ動きやグラつきなどを効果的に阻止する。
【００３８】
ペット用携帯型糞処理具１への樹脂袋９の装着方法は、図５中に示すように、先ず、袋吊着枠体３、袋口装着枠４の外周面４０に吸着している左右の吸着バンド枠５，５の各開閉操作用舌片部５２，５２を、拡開方向に引き剥がすよう操作して離脱させてから、倒立状姿勢とした樹脂袋９の開口がわ９０が、図６中に示すように、袋口装着枠４の左右フランジ部４１および関節機構４２を除く外周面４０に沿って外装状に、被着されたものとした後、左右吸着バンド枠５，５の夫々を、袋口装着枠４外周面４０との間に、当該樹脂袋９開口付近周縁９０を挟み込むよう閉鎖方向に操作し、それらの磁力によって吸着、仮固定するようにしてある。
【００３９】
そして、倒立状となっている樹脂袋９の底部９１は、同図６中に示すように、樹脂袋９それ自体の内がわであって袋口装着枠４内に下向き且つ表裏、反転状とするよう操作すると、図７中に示すように、同樹脂袋９開口付近周縁９０が袋口装着枠４の上端周縁を回り込み、該袋口装着枠４の内周面に添って上向き開口状となり、該樹脂袋９底部９１が袋口装着枠４内がわ下方に垂下状となるよう吊り下げ装着された状態となり、図示しない犬の糞をキャッチした場合には、樹脂袋９底部９１に加わった荷重の殆どが袋口装着枠４の上端周縁に吸収されることとなり、樹脂袋９の脱落を阻止することとなる。
【００４０】
また、利用者の身長や好みに応じて、図８および図１０中に示すように、ハンドルシャフト２に対する袋吊着枠体３の取り付け角度を関節機構４２によって自由に調節可能であり、大人から子供までの誰でもが排泄姿勢の犬の尾部に水平状に差し入れることが容易になり、しかも日没後や夜明け前などの暗い場所であってもライト用マウントベース７に搭載した既製小型電灯８の照射光８０が犬の尾部やその周辺を照らし、より正確に糞をキャッチし得るようにしてある。
【００４１】
このようにして糞を収容した樹脂袋９は、吸着バンド枠５，５の袋口装着枠４への吸着力に抗して引き抜くよう操作して簡単に取り外し可能であり、直ちに開口付近９０を結び上げて、糞の漏出や臭いの発散を防止するようにして衛生的に持ち帰り、適切に処理することとなる。
【００４２】
そして、図９中に示すように、袋吊着枠体３袋口装着枠４の外周面４０に環状凸条６を突設し、左右吸着バンド枠５，５の内周面夫々に、該環状凸条６に嵌合可能な環状溝条６０，６０を夫々刻設してなるものは、環状凸条６と環状溝条６０，６０との間に樹脂袋９開口付近周縁９０（図９中に図示せず）を歯合状に挟み込み、一段と強い摩擦力が得られるようにしてある。
【００４３】
（実施例１の効果）
以上のような構成からなる実施例１のペット用携帯型糞処理具１は、前記この考案の効果の項で記載の特徴に加え、図１ないし図８に示すように、左右分割型とした吸着バンド枠５，５の夫々が、磁石素材成分含有、軟質合成樹脂製としてあり、しかも左右連結片部５１，５１夫々を袋口装着枠４左右フランジ部４１，４１と共に関節機構４２、短柱状体４３に対して雄ネジ軸４４および蝶ナット４５で連結されてなるものとし、袋吊着枠体３の組み立て構造が大幅に簡素化されたものとすることができる上に、左右吸着バンド枠５，５の遊端がわに、夫々突設するようにした開閉操作用舌片部５２，５２は、左右吸着バンド枠５，５が複雑化するのを回避でき、開閉操作性を高めることができるという秀れた特徴を奏するものである。
【００４４】
加えて、短柱状体４３に雄ネジ軸４４と蝶ナット４５とを組み合わせてなる関節機構４２は、ハンドルシャフト２に対する袋吊着枠体３の折り畳み機構となるだけでなく、ハンドルシャフト２に対する袋吊着枠体３の取り付け角度を無段階的に調節可能とする取り付け姿勢角度の調節機構の役割をも兼ねるものになる上、左右分割型の吸着バンド枠５，５の各左右連結片部５１，５１をも共締め連結してしまうものとなり、必要部品点数および製造工数を大幅に削減して当該ペット用携帯型糞処理具１自体の低価格化に貢献するという利点が得られる。
【００４５】
（結  び）
叙述の如く、この考案のペット用携帯型糞処理具、およびその樹脂袋装着方法は、その新規な構成によって所期の目的を遍く達成可能とするものであり、しかも製造も容易で、従前からのペット用の採糞具類に比較して大幅に、軽量且つ低廉化して遥かに経済的なものとすることができる上、伸縮機能と折り畳み機能との組み合わせによる大幅なコンパクト化によって携帯性を各段に高め、利用者の身長に応じて樹脂袋の吊下角度姿勢や吊下高さ、低さなどを自由に調節できるようにして操作性を一段と改善し得るものとしたことから、従来型採糞具類の使用上の不便や携帯性に不満を抱いていたが、希望するような改良がなされることは無いだろうと半ば諦めかけていたホームセンターやペット用品業界およびブリーダー業界はもとより、犬を飼う一般家庭やペットシッター業界においても高く評価され、広範に渡って利用、普及していくものになると予想される。                                                      
【図面の簡単な説明】
【００４６】
図面は、この考案のペット用携帯型糞処理具、およびその樹脂袋装着方法の技術的思想を具現化した代表的な幾つかの実施例を示すものである。
【図１】携帯状態に折り畳まれたペット用携帯型糞処理具を示す斜視図ある。
【図２】袋吊着枠体を展開したペット用携帯型糞処理具を示す斜視図である。
【図３】１段目を引き延ばしたペット用携帯型糞処理具を示す斜視図である。
【図４】最長寸法まで引き延ばしたペット用携帯型糞処理具を示す斜視図である。
【図５】吸着バンド枠を開放したペット用携帯型糞処理具を示す斜視図である。
【図６】樹脂袋装着中のペット用携帯型糞処理具を示す斜視図である。
【図７】樹脂袋装着済みのペット用携帯型糞処理具を示す斜視図である。
【図８】既製小型電灯を装着したペット用携帯型糞処理具を示す斜視図である。
【図９】一部に変更を加えたペット用携帯型糞処理具を示す斜視図である。
【図１０】使用状態にあるペット用携帯型糞処理具を示す斜視図である。
【符号の説明】
【００４７】
１      ペット用携帯型糞処理具
２      ハンドルシャフト
２０    同  伸縮機構
２１    同  パイプ部
２２    同  ナット部
２３    同  グリップ
３      袋吊着枠体
４      袋口装着枠
４０    同  外周面
４１    同  左右フランジ部
４２    同  関節機構
４３    同  短柱状体
４４    同  雄ネジ軸
４５    同  蝶ナット
５      吸着バンド枠
５０    同  半裁円筒面体
５１    同  連結片部
５２    同  開閉操作用舌片部
６      環状凸条
６０    同  環状溝条
７      ライト用マウントベース
７０    同  横転Ｌ字型棒体
７１    同  マウント機構
７２    同  支持脚部
７３    同  装着バンド
８      既製小型電灯
８０    同  照射光
９      樹脂袋
９０    同  開口付近周縁
９１    同  底部                                                                                              
【図１】
0003146676.tif 000003
【図２】
0003146676.tif 000004
【図３】
0003146676.tif 000005
【図４】
0003146676.tif 000006
【図５】
0003146676.tif 000007
【図６】
0003146676.tif 000008
【図７】
0003146676.tif 000009
【図８】
0003146676.tif 000010
【図９】
0003146676.tif 000011
【図１０】
0003146676.tif 000012
【手続補正書】
【提出日】平成20年9月19日(2008.9.19)
【手続補正１】
【補正対象書類名】実用新案登録請求の範囲
【補正対象項目名】全文
【補正方法】変更
【補正の内容】
【実用新案登録請求の範囲】
【請求項１】
伸縮自在且つ所望の長さに仮固定可能とする伸縮機構を備えたハンドルシャフト先端に、磁石素材かまたは磁性素材かの何れか一方の素材製の所定直径短尺筒体からなり、その外周壁適所に折畳み自在且つ支持角度調節可能な関節機構を設けた袋口装着枠と、磁石素材かまたは磁性素材かの何れか他方の素材製であって、当該袋口装着枠の関節機構箇所を除く外周面適宜範囲との間に、同袋口装着枠外周面壁に添って装着状とした樹脂袋開口付近周縁を挟着状に仮固定可能とするよう適宜寸法の筒面体に形成し、該袋口装着枠外周面に添って着脱自在に吸着した吸着バンド枠とからなる袋吊着枠体を、同袋吊着枠体袋口装着枠の関節機構を介し連結、一体化してなるものとしたことを特徴とするペット用携帯型糞処理具。
【請求項２】
伸縮自在且つ所望の長さに仮固定可能とする伸縮機構を備えたハンドルシャフト先端に、磁石素材かまたは磁性素材かの何れか一方の素材製の所定直径短尺筒体からなり、その外周壁適所に折畳み自在且つ支持角度調節可能な関節機構を設けた袋口装着枠と、磁石素材かまたは磁性素材かの何れか他方の素材製であって、当該袋口装着枠の関節機構箇所を除く外周面適宜範囲との間に、同袋口装着枠外周面壁に添って装着状とした樹脂袋開口付近周縁を挟着状に仮固定可能とするよう適宜寸法の左右分割型、半裁筒面体に形成し、それら半裁筒面体の基端夫々が、同袋口装着枠の関節機構左右近傍に固着すると共に、それら左右半裁筒面体の内周面が、当該袋口装着枠外周面の各対峙範囲との間に、同袋口装着枠外周面壁に添って装着した樹脂袋開口付近周縁を、夫々挟着状に仮固定可能とするよう、着脱自在に吸着した左右分割型吸着バンド枠とからなる袋吊着枠体を、同袋吊着枠体袋口装着枠の関節機構を介し連結、一体化してなるものとしたことを特徴とするペット用携帯型糞処理具。
【請求項３】
袋吊着枠体、袋口装着枠外周面の周回りに沿って環状凸条かまたは環状溝条かの何れか一方、もしくは双方を形成し、且つ吸着バンド枠内周面の周回りに沿って環状凸条かまたは環状溝条かの何れか他方、もしくは双方を、同吸着バンド枠が該袋口装着枠の外周面に添って吸着した場合に、互いの環状凸条と環状溝条とが歯合状に嵌合するよう、組み合わせ可能に配置、形成されてなるものとした、請求項１または２何れか一項記載のペット用携帯型糞処理具。
【請求項４】
袋吊着枠体、袋口装着枠の関節機構付近か、関節機構それ自体にか、または、ハンドルシャフトの関節機構付近かの何れか適所に、既製小型電灯が、その照射光を該袋吊着枠体方向に向けるよう搭載可能とするマウント機構を有したライト用マウントベースを着脱自在もしくは着脱不能に一体化されてなるものとした、請求項１ないし３何れか一項記載のペット用携帯型糞処理具。                                                                              
【手続補正２】
【補正対象書類名】明細書
【補正対象項目名】全文
【補正方法】変更
【補正の内容】
【考案の詳細な説明】
【技術分野】
【０００１】
この考案は、ペットの排泄物を簡便且つ衛生的に回収可能とする技術に関するものであり、犬の散歩などの外出中に糞の回収を容易にする携帯型糞処理具を製造する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                    
【背景技術】
【０００２】
（着目点）
犬の飼い主にとって散歩中の犬の衛生的な排便、処理は現代社会の一般的モラルとして定着してきており、多くの飼い主は、ビニール袋に新聞紙などを入れたものの外、火ばさみ型のデレッキや移植ベラなどのショベル類を携行するなどして、散歩の途中で犬が排泄した糞を回収して持ち帰り、トイレに流したり、燃えるゴミとして処分したり、腐葉土などの庭土に混ぜるなどして適切に処理するのが既に一般的になっている。
【０００３】
しかしながら、こうした糞の回収は一般に、地面に落下してしまった後に、火ばさみで摘み取ったり、移植ベラで掬い上げたりしてビニール袋に回収するものであり、固い糞であれば何とか綺麗に回収できるが、少し柔らかかったり、草の上だったり、舗装のない石ころの上だったりした場合には、一部、地上に残存してしまって綺麗に回収できない自体を生じてしまうという欠点があり、また、糞の回収時には、犬のリードを掴む片手がわに、柔らかく開口縁形状の定まらないビニール袋を持ち、別の片手にデレッキやショベルを持ち、回収した糞をビニール袋に投入するという難しい作業を行わなければならず、回収作業中に犬が動き回ってリードを引き動かしたりすると尚更、その処理が難しくなってしまうこととなった。
【０００４】
さらに、このようにして犬の糞を処理している最中の飼い主は、上半身を屈めたり、しゃがみ込んだりするような低い姿勢になりがちで、回りの状況がよく見えず、交通量の多い場所などでは尚更危険な作業となってしまい、また、秋季から冬季のように夕暮れが早く夜明けが遅い季節など、外灯の無い場所などでは、暗くて糞が見えないこともあり、回収もなかなか難しい作業になってしまうことがあった。
【０００５】
（従来の技術）
こうした状況を憂慮し、例えば、下記の特許文献１（１）に提案されているものに代表されるように、環状体の一部に上向きで若干外径方向に傾けた保持棒を設け、該環状体内に差し入れたビニール袋の開口縁を、同環状体外周側に設けた複数の係止舌片に係止可能なものとし、犬の散歩時に、環状体にビニール袋を装着して携行し、犬が排便行為を始めたときに、直ちに保持棒を把持して犬の尾部に環状体装着済みのビニール袋開口を近づけ、排便を直接キャッチできるようにしたものや、同特許文献１（２）に見られるように、シャフトの先端に受け台を設け、該受け台に対してビニール袋の開口縁を挟み込み、開口状に吊下可能とする２つのリングを軸着してなるものとし、携行中は、両リングを回動させて、コンパクト化できるようにしたもの、または、例えば、特許文献１（３）のように、収容袋の口端を環状に開口して収容袋の口端を環状に開口して支持する環状支枠を二つ折りして対応側面を圧接可能に設け、前記弧状枠部の軸部には、二つ折りの動力源となる牽引ばねを掛けるばね掛けピンとスライドカムと連接して展開作動する連動ピンを互いに左右に対応すると共に前後に離隔して設け、前記スライドカムは前記軸受部を前端に固着した柄杆の操作釦に連動軸を介して連結し、且つ連動軸又は操作釦にはその展開を維持するストッパ釦を関連してなり、収容袋の袋口を完全に開いた状態に受け器にセットすることができ、柄杆の手元釦の操作で環状支枠を簡単に二つ折りし、収容袋の袋口を瞬間的且つ自動的に閉鎖することができ、しかも手元釦の操作で簡単に環状支枠を展開することができるようにしたものなどが散見される。
【０００６】
しかし、前者特許文献１（１）に示されているようなものは、環状体に装着するビニール袋の開口縁を、複数の係止舌片に係止する作業が面倒な上、該環状体の周回りに沿って点在する各係止舌片に荷重が集中してしまうため、長期に亘る繰り返しの使用によって各係止舌片が劣化、摩耗してビニール袋が外れ易くなってしまう虞があり、また、保持棒と環状体との連結角度が固定されている為、身長の異なる様々な飼い主の全てが快適に利用できるようには、なっていないという欠点があり、そして、特許文献１（２）のように、本体リングとビニール固定リングとの間に挟み込むようにしてビニール袋の開口縁を保持するよう吊下状装着するものは、前者よりも確実にビニール袋を吊り下げ装着できるものとなっており、また、シャフトに対して両リングを折り畳み可能となっていて、携帯時にコンパクト化できるという利点を有しているが、犬の排便を回収するときのシャフトと両リングとの角度、姿勢を自由に変更できるようになっておらず、やはり身長の異なる様々な飼い主の全てが快適に使用できるものにはなっていないという欠点があり、しかも本体リングとビニール固定リングとの隙間を的確且つ高精度に設定しなければ、両者間に全く隙間が無く、吊着操作のときにビニール袋開口縁付近が摺動、圧壊状となって破損してしまったり、または、両者間の隙間が大き過ぎてビニール袋が、不用意に脱落してしまったりする虞があり、これらを未然に防ぐには製造工数の増加や品質管理の高度化が求められる結果、製品単価に影響し兼ねないものであった。
【０００７】
さらに、特許文献１（３）に代表されるもののように、柄杆の手元釦の操作で環状支枠を二つ折りし、収容袋の口を瞬間に閉鎖、密封したり、環状に展開したりできるようにしたものは、柄杆の手元釦と環状支枠との折り畳み、展開連動機構を設ける必要があり、内部構造が複雑になって勢い高価な製品となってしまう上、こうした複雑な連動機構は、長期使用によって破損し易く、しかもこうした環状支枠自体の折り畳み、展開機構の組み込みによって、既に内部構造が複雑化しており、携行中のコンパクト化を目的とした環状支枠を柄杆に重ねるよう折り畳む構造を組み込むのが非常に困難なものになってしまっているという欠点を有するものであった。                                                    
【特許文献１】（１）実開平７−３９４０８号公報    （２）実開平６−８４８４２号公報    （３）実開平６−７５１５０号公報
【考案の開示】
【考案が解決しようとする課題】
【０００８】
（問題意識）
上述したとおり、従前までに提案のある各種ペット用の携帯型糞処理具は、何れも散歩中の犬が排便姿勢になったときに、飼い主が犬の尾部にビニール袋を差し出し易いように工夫されているものの、ビニール袋を開口状態に吊下する環状枠の、シャフト先端に対する取り付け角度が固定的に設定されており、利用者の身長や利用姿勢などに応じて支持角度を自由に変更できないという欠点を有しており、しかもビニール袋の開口縁付近を点在状の係止舌片に係止したり、二重リング間に挟み込んだりして吊下するものとしているが、それらは何れも製造誤差や経年変形などの影響を受け易いものであって高精度に製造できなかった場合や、永年の使用による経年変形などによってビニール袋の装着に支障を来したり、使用中にビニール袋の破損や脱落を招いてしまう虞がある外、夜間の散歩や冬期など日の暮れが早く、夜明けが遅い季節などに暗い中で素早く的確な位置にビニール袋装着済みの環状枠を差し出すのは非常に困難で、糞の回収に失敗してしまうことが多いという欠点を残すものとなっていた。
【０００９】
（考案の目的）
そこで、この考案は、コンパクトに折り畳んで容易に携帯することができ、シャフト先端に対して袋の装着枠の取り付け角度を、利用者の好みに応じて自由に調節することが可能であり、夜間であっても犬の尾部を視認可能として、的確な位置に袋装着枠を差し出すことができる新たなペット用の携帯型糞処理具の開発はできないものかとの判断から、逸速くその開発、研究に着手し、長期に渡る試行錯誤と幾多の試作、実験とを繰り返してきた結果、今回、遂に新規な構造のペット用携帯型糞処理具を実現化することに成功したものであり、以下では、図面に示すこの考案を代表する実施例と共に、その構成を詳述することとする。                                                                        
【課題を解決するための手段】
【００１０】
（考案の構成）
図面に示すこの考案を代表する実施例からも明確に理解されるように、この考案のペット用携帯型糞処理具は、基本的に次のような構成から成り立っている。
即ち、伸縮自在且つ所望の長さに仮固定可能とする伸縮機構を備えたハンドルシャフト先端に、磁石素材かまたは磁性素材かの何れか一方の素材製の所定直径短尺筒体からなり、その外周壁適所に折畳み自在且つ支持角度調節可能な関節機構を設けた袋口装着枠と、磁石素材かまたは磁性素材かの何れか他方の素材製であって、当該袋口装着枠の関節機構箇所を除く外周面適宜範囲との間に、同袋口装着枠外周面壁に添って装着状とした樹脂袋開口付近周縁を挟着状に仮固定可能とするよう適宜寸法の筒面体に形成し、該袋口装着枠外周面に添って着脱自在に吸着した吸着バンド枠とからなる袋吊着枠体を、同袋吊着枠体袋口装着枠の関節機構を介し連結、一体化してなるものとした構成を要旨とするペット用携帯型糞処理具である。
【００１１】
この基本的な構成からなるペット用携帯型糞処理具を表現を変えて示すと、伸縮自在且つ所望の長さに仮固定可能とする伸縮機構を備えたハンドルシャフト先端に、磁石素材かまたは磁性素材かの何れか一方の素材製の所定直径短尺筒体からなり、その外周壁適所に折畳み自在且つ支持角度調節可能な関節機構を設けた袋口装着枠と、磁石素材かまたは磁性素材かの何れか他方の素材製であって、当該袋口装着枠の関節機構箇所を除く外周面適宜範囲との間に、同袋口装着枠外周面壁に添って装着状とした樹脂袋開口付近周縁を挟着状に仮固定可能とするよう適宜寸法の左右分割型、半裁筒面体に形成し、それら半裁筒面体の基端夫々が、同袋口装着枠の関節機構左右近傍に固着すると共に、それら左右半裁筒面体の内周面が、当該袋口装着枠外周面の各対峙範囲との間に、同袋口装着枠外周面壁に添って装着した樹脂袋開口付近周縁を、夫々挟着状に仮固定可能とするよう、着脱自在に吸着した左右分割型吸着バンド枠とからなる袋吊着枠体を、同袋吊着枠体袋口装着枠の関節機構を介し連結、一体化してなるものとした構成からなるペット用携帯型糞処理具となる。                                                                                                        
【考案の効果】
【００１２】
以上のとおり、この考案のペット用携帯型糞処理具によれば、従来技術として取り上げたものなど従前までのものとは違い、伸縮自在で所望の長さに仮固定可能とする伸縮機構を備えたハンドルシャフト先端に、磁石素材かまたは磁性素材かの何れか一方の素材製の所定直径短尺筒体からなり、その適所に関節機構を設けた袋口装着枠と、磁石素材かまたは磁性素材かの何れか他方の素材製であって、当該袋口装着枠の関節機構箇所を除く外周面適宜範囲との間に、樹脂袋開口付近周縁を挟着状とするよう、該袋口装着枠外周面に添って着脱自在に吸着した吸着バンド枠とからなる袋吊着枠体を、当該関節機構を介し連結、一体化してなるものとし、該ハンドルシャフト先端に対する袋吊着枠体の取り付け角度を、利用者の好みに応じて自由に変更、調節可能とし、利用者自身の身長や犬の排便処理の際の姿勢などに応じてハンドルシャフトに対する袋吊着枠体の支持角度を自由に変更できるようになり、より多くの消費者に最適に利用できるものとすることができ、しかも袋吊着枠体の磁石素材かまたは磁性素材かの何れか一方の素材製の袋口装着枠外周面に添って磁性素材かの何れか他方の素材製の吸着バンド枠をを磁気吸着するようにして、簡単且つ迅速に樹脂袋を吊下状装着することができる上、製造誤差や経年変形などの影響を受けることなく、新品購入当初から永年に亘って同様の吸着力を発揮してビニール袋の開口縁付近を確実に吊下状に装着可能なものとすることができるという秀れた特徴が得られるものである。
【００１３】
加えて、袋吊着枠体の吸着バンド枠が左右半裁筒面体からなるものとした当該ペット用携帯型糞処理具は、袋口装着枠に装着した樹脂袋開口付近周縁を左右に分割した各吸着バンド枠により、左右分担状に挟着可能となって一体リング型の吸着バンド枠に比較して、樹脂袋開口付近周縁の装着作業が一段と容易になり、しかも袋口装着枠外周面により一層、密着接合状となって、より強力且つ確実に樹脂袋開口付近周縁を挟み込むことができるようになるという秀れた効果を奏するものとなる。
【００１４】
そして、袋吊着枠体の袋口装着枠外周面の周回りに沿って環状凸条かまたは環状溝条かの何れか一方、もしくは双方を形成し、且つ吸着バンド枠内周面の周回りに沿って環状凸条かまたは環状溝条かの何れか他方、もしくは双方を、同吸着バンド枠が該袋口装着枠の外周面に添って吸着した場合に、互いの環状凸条と環状溝条とが歯合状に嵌合するよう組み合わせ可能に配置、形成されてなるものは、袋口装着枠と吸着バンド枠との間に挟み込む樹脂袋開口付近周縁を、互いの環状凸条と環状溝条との間に歯合状としてしまい、格段に強い吊下強度を確保できるものとなる。
【００１５】
また、袋吊着枠体、袋口装着枠の関節機構付近か、関節機構それ自体にか、または、ハンドルシャフトの関節機構付近かの何れか適所に、既製小型電灯が、その照射光を該袋吊着枠体方向に向けるよう搭載可能とするマウント機構を有したライト用マウントベースを着脱自在もしくは着脱不能に一体化されてなるものは、夜間の散歩や冬期など日暮れが早く、夜明けの遅い季節などにも、暗い中で素早く犬の尾部を確認して的確な位置に樹脂袋装着済みの袋吊着枠体を差し出し可能とし、地上に糞を落下させることなく回収して、従来のように地面に付着した便の始末が一切不要となり、しかもそのまま歩行用のライトとしても利用可能で、防犯や交通安全にも大いに役立つものとなって一段と、使い勝手の良いペット用携帯型糞処理具を提供できる。
【００１６】
さらに、この考案のペット用携帯型糞処理具の樹脂袋装着方法によれば、袋口装着枠の外周面に添って、樹脂袋、開口付近周縁を上方から被着状に装着した後、該樹脂袋開口付近周縁を同袋口装着枠の外周面との間に挟着状とするよう、吸着バンド枠を吸着、仮固定すると、従前までの複数の係止舌片に係止するものや、２重リング間に挟み込むように仮固定するものなどに比較して樹脂袋に過大なストレスを掛けずに簡単に装着することができ、しかも当該袋口装着枠より上方に倒立状態となっている樹脂袋底部を、同樹脂袋自体の内がわであって同袋口装着枠内に下向き且つ表裏、反転状とするよう操作して、該樹脂袋開口付近周縁が袋口装着枠の上端周縁を回り込み、同袋口装着枠の内周面に添って上向き開口状となり、該樹脂袋底部が同袋口装着枠内がわ下方に垂下状となるよう吊り下げ装着する如く設定するようにし、樹脂袋の袋吊着枠体への装着作業を格段に簡便なものとすることができる上、樹脂袋開口付近周縁が袋口装着枠の上端周縁を回り込むよう装着されて吊着強度を格段に高めることができるという秀れた効果が得られる。                                                    
【考案を実施するための最良の形態】
【００１７】
上記したとおりの構成からなるこの考案の実施に際し、その最良もしくは望ましい形態について説明を加えることにする。
ハンドルシャフトは、犬の散歩に携帯するのに便利な長さに短縮可能であり、散歩の途中で犬が排便姿勢となったときに、素早く取り出して適切な長さに延伸し、基端がわを把持して先端がわの袋吊着枠体を犬の尾部に差し出すように操作可能とする機能を果たし、テレスコープ型であって各中途節の夫々が充分な摩擦力をもって連結されたものとし、その摩擦力に抗してシャフトの伸縮操作が可能であって、同摩擦力によってシャフトが所望の寸法に維持されるようにしたものや、各節に締め付け用の小型レバーを設け、各小型レバーを弛緩方向に回動操作してシャフトの伸縮操作が可能となり、各小型レバーを締め付け操作してシャフトが所望の長さに仮固定されるようにしたもの、または、テレスコープ型、各段のシャフト部分を同心隣接状接続された次段のシャフト部分に対して反時計回りに捩り操作して弛緩、伸縮調節可能となり、時計回りに捩り操作して締め付け、所望の長さに仮固定可能となるよう設定されてなるものなどの外、後述する実施例に示すように、基端にグリップを装着した複数段のテレスコープ型伸縮構造を有し、各中途節毎に仮固定用のナットを組み込み、各ナットを緩めて所望の長さに伸縮操作可能とし、各ナットを締め付けて所望の長さに仮固定可能としたものなど、様々な伸縮機構を組み込んだものとすることができ、シャフト部分はアルミニウム製やステンレス製などの金属パイプ、各種繊維強化樹脂製パイプなどからなるものとするのが望ましく、グリップ部分には、ポリプロピレン製、ポリエチレン製、天然ゴム製などの成形品や、その他の軟質発泡樹脂製成形品などからなるものとすることができる。
【００１８】
袋吊着枠体は、ハンドルシャフトの先端に、その取り付け姿勢を調節自在であって、しかもその袋口装着枠と吸着バンド枠との間に樹脂袋開口縁付近を開口状態を維持するよう挟着状に吊下可能とする機能を果たすものであり、関節機構が組み込まれた袋口装着枠の外周面に吸着バンド枠の内周面が、樹脂袋開口縁付近を挟み込み、磁力を伴って吸着可能なものとし、犬の糞を回収するに充分な強度を確保したものとしなければならない。
【００１９】
袋口装着枠は、ハンドルシャフトの先端に、その取り付け姿勢を調節自在であり、樹脂袋開口縁付近を外装、被着状に装着可能とし、その外がわから吸着バンド枠が、磁力を伴って当該樹脂袋開口縁付近を挟み込み吊下するよう吸着可能とする機能を果たし、装着対象の樹脂袋開口縁付近を外装、被着状に装着可能な形状、寸法に設定し、磁石素材かまたは磁性素材かの何れか一方の素材製の所定直径短尺筒体からなり、その外周壁適所に折畳み自在且つ支持角度調節可能な関節機構を設けたものとしなければならず、例えば磁性を有する鉄鋼、ステンレス鋼などのプレス加工品や切削加工品の外、永久磁石、磁性体含有樹脂などの成形品からなるものとすることができる。
【００２０】
関節機構は、ハンドルシャフトの先端に対する袋吊着枠体、袋口装着枠の取り付け角度を自在に変更、仮固定可能とし、また、ハンドルシャフトに対して袋吊着枠体、袋口装着枠を折り畳まれた姿勢に仮固定して携帯用にコンパクト化可能とする機能を兼ね備えたものであり、充分な連結、支持強度をもつものとしなければならず、複数段階に節度を有して角度調節可能としたものや、無段階的に角度調節可能としたものなどとすることが可能であって、後述する実施例に示すように、袋口装着枠外周の左右フランジ部に挟み込まれたハンドルシャフト先端に、その直径方向から貫通した雄ネジ軸の先端に蝶ナットを螺解自在に螺合装着して、ハンドルシャフト先端に対し、左右フランジ部を締め付けて仮固定可能としてなるものとすることができる。
【００２１】
吸着バンド枠は、袋口装着枠外周面との間に樹脂袋開口縁付近を挟み込み吊着可能とするよう、当該袋口装着枠外周面に充分な磁力を伴って吸着、仮固定可能となる機能を果たし、磁石素材かまたは磁性素材かの何れか他方の素材製であって、当該袋口装着枠の関節機構箇所を除く外周面適宜範囲との間に、同袋口装着枠外周面壁に添って装着状とした樹脂袋開口付近周縁を挟着状に仮固定可能とするよう適宜寸法の筒面体に形成したものとしなければならず、袋口装着枠外周面回りに沿って複数個に分割されたものとすることが可能であり、後述する実施例に示すように、左右分割型、半裁筒面体に形成し、袋口装着枠外周面に対して開閉状に変形容易となる程度の柔軟性を有するものとするのが望ましく、例えば袋口装着枠に吸着可能な磁性を有する鉄鋼、ステンレス鋼などのプレス加工品や切削加工品の外、永久磁石、磁性体含有の軟質樹脂などの成形品からなるものとすることができる。
【００２２】
前記袋吊着枠体は、その袋口装着枠外周面および吸着バンド枠内周面が互いに平滑面同士で接合可能なものとして、樹脂袋開口付近周縁を密着状に挟着して十分な吊下強度を確保可能なものとするのが望ましいが、袋口装着枠外周面の周回りに沿って環状凸条かまたは環状溝条かの何れか一方、もしくは双方を形成し、且つ吸着バンド枠内周面の周回りに沿って環状凸条かまたは環状溝条かの何れか他方、もしくは双方を、同吸着バンド枠が該袋口装着枠の外周面に添って吸着した場合に、互いの環状凸条と環状溝条とが歯合状に嵌合するよう、組み合わせ可能に配置、形成されてなるものとすることができ、各環状凸条および環状溝条は、双方とも曲面の連続によって形成されたものとし、袋吊着枠体環形状の周回り方向に波型形状をなすものなど、樹脂袋開口付近周縁の挟着摩擦を高めたものにできる。
【００２３】
そして、この考案のペット用携帯型糞処理具は、その袋吊着枠体か、袋口装着枠の関節機構付近か、関節機構それ自体にか、または、ハンドルシャフトの関節機構付近かの何れかの適所に、既製小型電灯が、その照射光を該袋吊着枠体方向に向けるよう搭載可能とするマウント機構を有したライト用マウントベースを着脱自在もしくは着脱不能に一体化されてなるものとするのが良い。
【００２４】
ライト用マウントベースは、袋吊着枠体方向に照明を当てるようペット用携帯型糞処理具の適所に既製小型電灯を仮固定可能とする機能を果たすものであり、不用意に落下したりしない程度に充分な強度で仮固定可能なものとしなければならず、多少寸法、形状の異なる小型電灯であっても容易に脱着可能なマウント機構を有するもとすべきであり、照明方向を自由に調整できるよう小型電灯の取り付け角度を調節可能とした支持角度調節機構を組み込んだものとすることが可能である。
【００２５】
さらに、ペット用携帯型糞処理具の樹脂袋装着方法は、袋口装着枠の外周面に添って倒立状とした樹脂袋、開口付近周縁を上方から外装、被着状に装着した後、同袋口装着枠の外周面との間に該樹脂袋開口付近周縁を挟着状とするよう、吸着バンド枠を吸着、仮固定し、当該袋口装着枠より上方に倒立状態となっている樹脂袋底部を、同樹脂袋自体の内がわであって同袋口装着枠内に下向き且つ表裏、反転状とするよう操作して、該樹脂袋開口付近周縁が袋口装着枠の上端周縁を回り込み、同袋口装着枠の内周面に添って上向き開口状となり、該樹脂袋底部が同袋口装着枠内がわ下方に垂下状となるよう吊り下げ装着するよう設定したものとするのが望ましいが、これにのみ限定されるものではなく、予め樹脂袋開口付近周縁を外周側に折り返して置き、袋口装着枠の上方より、該樹脂袋の底部がわを同袋口装着枠内に装着状として、前記予め折り返して置いた樹脂袋開口付近周縁が、同袋口装着枠の上端周縁を回り込み、同袋口装着枠の外周面に被着、装着状となるよう操作した後、同袋口装着枠の外周面との間に該樹脂袋開口付近周縁が挟み込まれるよう吸着バンド枠内周面を吸着、仮固定するよう装着するよう設定したものなどとすることが可能である。
以下では、図面に示すこの考案を代表する実施例と共に、その構造について詳述することとする。                                                                                                              
【実施例１】
【００２６】
図１の携帯状態に折り畳まれたペット用携帯型糞処理具の斜視図、図２の袋吊着枠体を展開したペット用携帯型糞処理具の斜視図、図３の１段目を引き延ばしたペット用携帯型糞処理具の斜視図、図４の最長寸法まで引き延ばしたペット用携帯型糞処理具の斜視図、図５の吸着バンド枠を開放したペット用携帯型糞処理具の斜視図、図６の樹脂袋装着中のペット用携帯型糞処理具の斜視図、図７の樹脂袋装着済みのペット用携帯型糞処理具の斜視図、図８の既製小型電灯を装着したペット用携帯型糞処理具の斜視図、図９の一部に変更を加えたペット用携帯型糞処理具の斜視図、図１０の使用状態にあるペット用携帯型糞処理具の斜視図に示す事例は、伸縮自在で所望の長さに仮固定可能とする伸縮機構２０を備えたハンドルシャフト２先端に、磁石素材かまたは磁性素材かの何れか一方の素材製の所定直径短尺筒体からなり、その適所に関節機構４２を設けた袋口装着枠４と、磁石素材かまたは磁性素材かの何れか他方の素材製であって、当該袋口装着枠４の関節機構４２を除く外周面４０適宜範囲との間に、樹脂袋９開口付近周縁９０を挟着状とするよう、該袋口装着枠４外周面４０に添って着脱自在に吸着した吸着バンド枠５とからなる袋吊着枠体３を、当該関節機構４２を介し連結、一体化してなるものとしした、この考案のペット用携帯型糞処理具における代表的な一実施例を示すものである。
【００２７】
それら各図からも明確に把握できるとおり、この考案のペット用携帯型糞処理具１は、そのハンドルシャフト２が、直径の異なる３本のステンレス鋼製パイプ部２１，２１，２１を、直径の大きいものに小さいものを差し込むよう組み合わせて３段テレスコープ型とし、各段間の節部分であって大径がわのパイプ端外周面に刻設された図示しない雄ネジ夫々に仮固定用、硬質合成樹脂製または金属製のナット部２２，２２，２２を螺合装着したものであり、各ナット部２２，２２，２２を緩めると伸縮自在となり、各ナット部２２，２２，２２を締め付けると伸縮しないよう仮固定されるようにする伸縮機構２０を設けたものとしてあり、該ハンドルシャフト２の最大直径がわとなる基端がわには軟質合成樹脂製のグリップ２３が装着されたものとなっている。
【００２８】
当該ハンドルシャフト２の最小直径がわとなる先端には、金属製短柱状体４３の錐形に形成された基端が熔接、蝋付け、圧入、螺着などの何れかによって結合、一体化されており、該短柱状体４３の先端がわには、左右方向に貫通する雄ネジ軸４４と、それに螺着可能な蝶ナット４５とが組み込まれて関節機構４２を形成されたものとしている。
【００２９】
袋吊着枠体３は、図１および図２中に示すように、後述するよう形成した袋口装着枠４と吸着バンド枠５との組み合わせからなり、この中、袋口装着枠４は、内径１３５ｍｍ、肉厚１ｍｍの磁性を有するステンレス鋼板プレス成形品からなる上下巾１０ｍｍの短尺円筒体であって、当該関節機構４２に相当する箇所を切断し、この切断で形成された両端夫々を直径方向外側に向けた舌片状に折曲して左右フランジ部４１，４１となし、それら左右フランジ部４１，４１で当該ハンドルシャフト２先端の前記関節機構４２短柱状体４３先端がわを挟み込むよう配置したものとする。
【００３０】
また、吸着バンド枠５は、該袋口装着枠４の関節機構４２に対応する左右フランジ部４１，４１を除く外周面４０に沿って接合可能な、適宜寸法の左右分割型に設定した半裁円筒面体５０，５０からなり、該左右フランジ部４１，４１の外側面に接合可能な左右連結片部５１，５１と、各左右連結片部５１，５１とは反対がわの左右端より外径方向に突出した開閉操作用舌片部５２，５２とを有する、磁石素材成分含有、軟質合成樹脂シート製の左右分割円筒型のものとする。
【００３１】
当該袋吊着枠体３は、袋口装着枠４の左右フランジ部４１，４１と、その外側面に積層状とした左右分割型吸着バンド枠５，５の左右連結片部５１，５１とで前記関節機構４２先端がわを挟み込むよう配置すると共に、それらに左右方向横断状に雄ネジ軸４４を貫通、装着状とした上、該雄ネジ軸４４先端に蝶ナット４５が螺着されたものとして、当該ハンドルシャフト２先端に袋吊着枠体３、袋口装着枠４が折り畳み自在且つ角度調節自在となるよう装着されたものとする。
【００３２】
さらに、図１および図２中に示すように、関節機構４２短柱状体４３の雄ネジ軸４４、蝶ナット４５が装着された先端がわとは反対がわとなる基端寄りの適所には、金属製横転Ｌ字型棒体７０の短尺がわとなる基端が、該短柱状体４３の直径（上下）方向に貫通するよう熔接、蝋付け、圧入、螺着などの何れかによって固着、一体化されたものとしてあり、同横転Ｌ字型棒体７０の長尺がわとなる部分には、その前後端付近の上部夫々に、既製小型電灯８の前後端がわ下面を、上端に図示しない滑止め用ゴムパッドが一体化されて接合状、支持可能とした支持脚部７２，７２、および、それら前後支持脚部７２，７２間に装着された面ファスナ製帯からなる装着バンド７３の組み合わせからなるマウント機構７１を設けたライト用マウントベース７が一体化されている。
【００３３】
そして、当該袋吊着枠体３は、図１ないし図８中に示すように、袋口装着枠４外周面４０と、それに吸着、接合可能な左右吸着バンド枠５，５の各内周面との双方を平滑な円筒周面形としたものとすることができる外、図９に示すように、袋口装着枠４外周面４０の周回りに沿って環状凸条６を突設し、且つ左右吸着バンド枠５，５各内周面の周回りに沿って該環状凸条６に嵌合可能な環状溝条６０，６０を夫々刻設したものとすることができる。
【００３４】
（実施例１の作用）
以上のとおりの構成からなるこの考案のペット用携帯型糞処理具１は、図１中に示すように、ハンドルシャフト２伸縮機構２０を最も短く短縮した状態に仮固定した上、袋吊着枠体３関節機構４２を折り畳み、全長Ｌが４４５ｍｍまでコンパクト化することが可能であり、この状態では一般的なサイズのショルダーバッグに収納して邪魔にならないよう携行することが容易なものとなり、図２中に示すように、関節機構４２、蝶ナット４５を一旦緩めて袋吊着枠体３が展開状となる位置で、同蝶ナット４５を再度締め付けて固定すると、全長Ｌが６０５ｍｍになり、このまま犬の糞の回収に使用できる状態となる。
【００３５】
また、このペット用携帯型糞処理具１は、図３中に示すように、ハンドルシャフト２伸縮機構２０の、先端がわ１個目のナット部２２を一旦、緩めて１段目のパイプ部２１をその基部付近まで引き出した後、再度締め付けると全長Ｌが、８２５ｍｍに延伸されたものとなり、さらに、図４中に示すように、先端がわより２個目のナット部２２を緩めて、２段目のパイプ部２１もその基部付近まで引き出し、再度締め付けると全長Ｌが最大の１０７０ｍｍまで延伸されるものとなる。
【００３６】
そして、図１中に示すように、ペット用携帯型糞処理具１関節機構４２に設けたライト用マウントベース７上には、そのマウント機構７１の前後支持脚部７２，７２間に、照明部分を袋吊着枠体３がわに向けた既製小型電灯８が架け渡し状に装着されると共に、同既製小型電灯８の前後中間位置付近にマウント機構７１の装着バンド７３が巻き掛けられた状態に、仮固定可能なものとなっていて、前後支持脚部７２，７２上端に装着した、図示しないゴムパッドが、マウントされた既製小型電灯８のズレ動きやグラつきなどを効果的に阻止する。
【００３７】
ペット用携帯型糞処理具１への樹脂袋９の装着方法は、図５中に示すように、先ず、袋吊着枠体３、袋口装着枠４の外周面４０に吸着している左右の吸着バンド枠５，５の各開閉操作用舌片部５２，５２を、拡開方向に引き剥がすよう操作して離脱させてから、倒立状姿勢とした樹脂袋９の開口がわ９０が、図６中に示すように、袋口装着枠４の左右フランジ部４１および関節機構４２を除く外周面４０に沿って外装状に、被着されたものとした後、左右吸着バンド枠５，５の夫々を、袋口装着枠４外周面４０との間に、当該樹脂袋９開口付近周縁９０を挟み込むよう閉鎖方向に操作し、それらの磁力によって吸着、仮固定するようにしてある。
【００３８】
そして、倒立状となっている樹脂袋９の底部９１は、同図６中に示すように、樹脂袋９それ自体の内がわであって袋口装着枠４内に下向き且つ表裏、反転状とするよう操作すると、図７中に示すように、同樹脂袋９開口付近周縁９０が袋口装着枠４の上端周縁を回り込み、該袋口装着枠４の内周面に添って上向き開口状となり、該樹脂袋９底部９１が袋口装着枠４内がわ下方に垂下状となるよう吊り下げ装着された状態となり、図示しない犬の糞をキャッチした場合には、樹脂袋９底部９１に加わった荷重の殆どが袋口装着枠４の上端周縁に吸収されることとなり、樹脂袋９の脱落を阻止することとなる。
【００３９】
また、利用者の身長や好みに応じて、図８および図１０中に示すように、ハンドルシャフト２に対する袋吊着枠体３の取り付け角度を関節機構４２によって自由に調節可能であり、大人から子供までの誰でもが排泄姿勢の犬の尾部に水平状に差し入れることが容易になり、しかも日没後や夜明け前などの暗い場所であってもライト用マウントベース７に搭載した既製小型電灯８の照射光８０が犬の尾部やその周辺を照らし、より正確に糞をキャッチし得るようにしてある。
【００４０】
このようにして糞を収容した樹脂袋９は、吸着バンド枠５，５の袋口装着枠４への吸着力に抗して引き抜くよう操作して簡単に取り外し可能であり、直ちに開口付近９０を結び上げて、糞の漏出や臭いの発散を防止するようにして衛生的に持ち帰り、適切に処理することとなる。
【００４１】
そして、図９中に示すように、袋吊着枠体３袋口装着枠４の外周面４０に環状凸条６を突設し、左右吸着バンド枠５，５の内周面夫々に、該環状凸条６に嵌合可能な環状溝条６０，６０を夫々刻設してなるものは、環状凸条６と環状溝条６０，６０との間に樹脂袋９開口付近周縁９０（図９中に図示せず）を歯合状に挟み込み、一段と強い摩擦力が得られるようにしてある。
【００４２】
（実施例１の効果）
以上のような構成からなる実施例１のペット用携帯型糞処理具１は、前記この考案の効果の項で記載の特徴に加え、図１ないし図８に示すように、左右分割型とした吸着バンド枠５，５の夫々が、磁石素材成分含有、軟質合成樹脂製としてあり、しかも左右連結片部５１，５１夫々を袋口装着枠４左右フランジ部４１，４１と共に関節機構４２、短柱状体４３に対して雄ネジ軸４４および蝶ナット４５で連結されてなるものとし、袋吊着枠体３の組み立て構造が大幅に簡素化されたものとすることができる上に、左右吸着バンド枠５，５の遊端がわに、夫々突設するようにした開閉操作用舌片部５２，５２は、左右吸着バンド枠５，５が複雑化するのを回避でき、開閉操作性を高めることができるという秀れた特徴を奏するものである。
【００４３】
加えて、短柱状体４３に雄ネジ軸４４と蝶ナット４５とを組み合わせてなる関節機構４２は、ハンドルシャフト２に対する袋吊着枠体３の折り畳み機構となるだけでなく、ハンドルシャフト２に対する袋吊着枠体３の取り付け角度を無段階的に調節可能とする取り付け姿勢角度の調節機構の役割をも兼ねるものになる上、左右分割型の吸着バンド枠５，５の各左右連結片部５１，５１をも共締め連結してしまうものとなり、必要部品点数および製造工数を大幅に削減して当該ペット用携帯型糞処理具１自体の低価格化に貢献するという利点が得られる。
【００４４】
（結  び）
叙述の如く、この考案のペット用携帯型糞処理具は、その新規な構成によって所期の目的を遍く達成可能とするものであり、しかも製造も容易で、従前からのペット用の採糞具類に比較して大幅に、軽量且つ低廉化して遥かに経済的なものとすることができる上、伸縮機能と折り畳み機能との組み合わせによる大幅なコンパクト化によって携帯性を各段に高め、利用者の身長に応じて樹脂袋の吊下角度姿勢や吊下高さ、低さなどを自由に調節できるようにして操作性を一段と改善し得るものとしたことから、従来型採糞具類の使用上の不便や携帯性に不満を抱いていたが、希望するような改良がなされることは無いだろうと半ば諦めかけていたホームセンターやペット用品業界およびブリーダー業界はもとより、犬を飼う一般家庭やペットシッター業界においても高く評価され、広範に渡って利用、普及していくものになると予想される。                                                      
【図面の簡単な説明】
【００４５】
図面は、この考案のペット用携帯型糞処理具、およびその樹脂袋装着方法の技術的思想を具現化した代表的な幾つかの実施例を示すものである。
【図１】携帯状態に折り畳まれたペット用携帯型糞処理具を示す斜視図ある。
【図２】袋吊着枠体を展開したペット用携帯型糞処理具を示す斜視図である。
【図３】１段目を引き延ばしたペット用携帯型糞処理具を示す斜視図である。
【図４】最長寸法まで引き延ばしたペット用携帯型糞処理具を示す斜視図である。
【図５】吸着バンド枠を開放したペット用携帯型糞処理具を示す斜視図である。
【図６】樹脂袋装着中のペット用携帯型糞処理具を示す斜視図である。
【図７】樹脂袋装着済みのペット用携帯型糞処理具を示す斜視図である。
【図８】既製小型電灯を装着したペット用携帯型糞処理具を示す斜視図である。
【図９】一部に変更を加えたペット用携帯型糞処理具を示す斜視図である。
【図１０】使用状態にあるペット用携帯型糞処理具を示す斜視図である。
【符号の説明】
【００４６】
１      ペット用携帯型糞処理具
２      ハンドルシャフト
２０    同  伸縮機構
２１    同  パイプ部
２２    同  ナット部
２３    同  グリップ
３      袋吊着枠体
４      袋口装着枠
４０    同  外周面
４１    同  左右フランジ部
４２    同  関節機構
４３    同  短柱状体
４４    同  雄ネジ軸
４５    同  蝶ナット
５      吸着バンド枠
５０    同  半裁円筒面体
５１    同  連結片部
５２    同  開閉操作用舌片部
６      環状凸条
６０    同  環状溝条
７      ライト用マウントベース
７０    同  横転Ｌ字型棒体
７１    同  マウント機構
７２    同  支持脚部
７３    同  装着バンド
８      既製小型電灯
８０    同  照射光
９      樹脂袋
９０    同  開口付近周縁
９１    同  底部